(57)【特許請求の範囲】
【請求項１】
連結軸により互いに連結された一対のリール板と、
各リール板に設けられ、一対のリール板間であって、かつ連結軸を中心とする円周に沿って配置された複数のテーパーピンとを備え、
一方のリール板に設けられたテーパーピンは各々、他方のリール板方向に向かって延びるとともに、当該方向に向かって先が細くなり、
他方のリール板に設けられたテーパーピンは各々、一方のリール板方向に向かって延びるとともに、当該方向に向かって先が細くなり、
前記テーパーピンの各々によって、タブテープまたはスペーサテープが巻き取られることを特徴とするテープ用リール。
【請求項２】
各リール板に設けられたテーパーピンは各々、当該リール板と直交する方向に延びることを特徴とする請求項１記載のテープ用リール。
【請求項３】
一方のリール板と他方のリール板は、互いに当接する当接体を有し、
各当接体に互いに引き合う磁石を設け、当該一対の磁石の磁力によって、一対の当接体が互いに連結されることを特徴とする請求項１記載のテープ用リール。
【請求項４】
前記連結軸は、一方のリール板の当接体及び他方のリール板の当接体に挿脱自在に設けられていることを特徴とする請求項１記載のテープ用リール。
【請求項５】
一方のリール板に設けられたテーパーピンと、他方のリール板に設けられた他のテーパーピンは、円周に沿って交互に、かつ所定間隔をおいて均等に配置されることを特徴とする請求項１記載のテープ用リール。
【請求項６】
連結軸は、一方のリール板と他方のリール板を円周方向に規制し、
前記連結軸に、一対のリール板を回転駆動する駆動部が連結されることを特徴とする請求項１記載のテープ用リール。
【発明の詳細な説明】
【技術分野】
【０００１】
本発明は、テープを保持するテープ用リールに係り、とりわけ、保持しているテープを容易に取り外したり、新しいテープを容易に取り付けたりすることができるテープ用リールに関する。
【背景技術】
【０００２】
図７に示すように、ＩＣチップ（図示せず）が設けられたタブテープ６１を供給する電子部品供給装置は、複数のＩＣチップが設けられた基材からなるタブテープ６１とスペーサテープ６２とを重ねてなる供給テープ６０を供給する供給リール４１と、供給リール４１の下流側に設けられ、供給テープ６０から剥離されたスペーサテープ６２を巻き取るスペーサリール４２と、供給リール４１の下流側に設けられ、スペーサテープ６２が剥離されたタブテープ６１をＩＣチップ毎に打ち抜く打抜金型５０と、打抜金型５０の下流側に設けられ、ＩＣチップが打ち抜かれたタブテープ６１を巻き取る回収リール４３とを備えている。また、供給リール４１とスペーサリール４２との間には、供給テープ６０からスペーサテープ６２を剥離する剥離部６５が設けられている。
【０００３】
また、タブテープ６１を回収する回収リール４３は、図８に示すように、連結軸５ｄを介して互いに連結された一対のリール板４３ａ，４３ｂからなっている。また、連結軸５ｄの一端には、一対のリール板４３ａ，４３ｂを回転駆動する駆動部１０が設けられ、連結軸５ｄの他端には、連結軸５ｄに、他方のリール板４３ｂを固定するナット１５が設けられている。なお、図８は、図７の矢印ＶＩＩＩから回収リール４３を見た概略側方図である。
【０００４】
なお、上述のスペーサリール４２及び供給リール４１は、当該回収リール４３と略同一な構成を有している。
【発明の開示】
【発明が解決しようとする課題】
【０００５】
ところで、このような電子部品供給装置の回収リール４３では、許容量限界までタブテープ６１を巻き取ったら、回収リール４３からタブテープ６１を取り外す必要がある。
【０００６】
具体的には、まず、回収リール４３の連結軸５ｄに巻き取られたタブテープ６１を、回収リール４３と打抜金型５０との間の所定箇所で切断する（図７及び図８参照）。次に、連結軸５ｄからナット１５を取り外した後、他方のリール板４３ｂを取り外す（図８参照）。次に、連結軸５ｄからタブテープ６１を取り外す（図８参照）。次に、連結軸５ｄの他端に、他方のリール板４３ｂを取り付けて、ナット１５によって固定する（図８参照）。最後に、切断したタブテープ６１のうち、回収リール４３に巻き取られていないタブテープ６１の一端を、連結軸５ｄに巻き付ける（図７及び図８参照）。
【０００７】
しかしながら、タブテープ６１が重い場合や巻付力が強い場合には、タブテープ６１を回収リール４３の連結軸５ｄから取り外す際、タブテープ６１と連結軸５ｄの間に大きな摩擦力が発生する。このため、このようなタブテープ６１を回収リール４３から取り外すことは非常に困難であり、手間がかかってしまう。
【０００８】
なお、スペーサリール４２でも、許容量限界までスペーサテープ６２を巻き取ったら、スペーサリール４２からスペーサテープ６２を取り外す必要がある。このため、スペーサリール４２においても、回収リール４３と同様の問題が発生する。
【０００９】
また、供給リール４１に取り付けられる供給テープ６０が非常に重い場合にも同様の問題が発生する。すなわち、このような供給テープ６０を供給リール４１に取り付ける際には、供給テープ６０と連結軸（図示せず）との間に大きな摩擦力が発生する。このため、供給リール４１に供給テープ６０を取り付けるのは、やはり、非常に困難であり、手間がかかってしまう。
【００１０】
本発明は、このような点を考慮してなされたものであり、保持しているテープを容易に取り外したり、また新しいテープを容易に取り付けたりすることができるテープ用リールを提供することを目的とする。
【課題を解決するための手段】
【００１１】
本発明は、連結軸により互いに連結された一対のリール板と、各リール板に設けられ、一対のリール板間であって、かつ連結軸を中心とする円周に沿って配置された複数のテーパーピンとを備え、一方のリール板に設けられたテーパーピンが各々、他方のリール板方向に向かって延びるとともに、当該方向に向かって先が細くなり、他方のリール板に設けられたテーパーピンが各々、一方のリール板方向に向かって延びるとともに、当該方向に向かって先が細くなることを特徴とするテープ用リールである。
【００１２】
このような構成により、保持しているテープを容易に取り外したり、また新しいテープを容易に取り付けたりすることができる。
【００１３】
本発明は、各リール板に設けられたテーパーピンが各々、当該リール板と直交する方向に延びることを特徴とするテープ用リールである。
【００１４】
本発明は、一方のリール板と他方のリール板が、互いに当接する当接体を有し、各当接体に互いに引き合う磁石を設け、当該一対の磁石の磁力によって、一対の当接体が互いに連結されることを特徴とするテープ用リールである。
【００１５】
このような構成により、一方のリール板の当接体と他方のリール板の当接体とを、容易に着脱することができる。
【００１６】
本発明は、前記連結軸が、一方のリール板の当接体及び他方のリール板の当接体に挿脱自在に設けられていることを特徴とするテープ用リールである。
【００１７】
このような構成により、一方のリール板と他方のリール板とを容易に着脱することができる。
【００１８】
本発明は、一方のリール板に設けられたテーパーピンと、他方のリール板に設けられた他のテーパーピンが、円周に沿って交互に、かつ所定間隔をおいて均等に配置されることを特徴とするテープ用リールである。
【００１９】
このような構成により、テープを保持したテープ用リールが回転する際、テープ用リールに加わるテープからの巻付力を、各テーパーピンで均等に分配することができ、当該テープを安定した状態で保持することができる。
【００２０】
本発明は、連結軸が、一方のリール板と他方のリール板を円周方向に規制し、前記連結軸に、一対のリール板を回転駆動する駆動部が連結されることを特徴とするテープ用リールである。
【００２１】
このような構成により、一方のリール板と他方のリール板とが、テープ用リールの回転方向（円周方向）に規制することができ、駆動部の回転駆動力を一方のリール板と他方のリール板に確実に伝達することができる。
【発明の効果】
【００２２】
本発明によれば、各リール板に、一対のリール板間であって、かつ連結軸を中心とする円周に沿って、対向するリール板に向かって先が細くなって延びているテーパーピンを複数設けることによって、保持しているテープを容易に取り外したり、また新しいテープを容易に取り付けたりすることができるテープ用リールを提供することができる。
【発明を実施するための最良の形態】
【００２３】
実施の形態
以下、本発明によるテープ用リールの実施の形態について、図面を参照して説明する。ここで、図１乃至図６は本発明の実施の形態を示す図である。
【００２４】
本発明のテープ用リールは、例えば、ＩＣチップ（図示せず）が設けられたタブテープ６１を供給する電子部品供給装置に用いることができる（図６参照）。
【００２５】
まず、図６を用いて、このような電子部品供給装置の構成について説明する。図６に示すように、電子部品供給装置は、複数のＩＣチップが設けられた基材からなるタブテープ６１とスペーサテープ６２とを重ねてなる供給テープ６０を供給する供給リール４１と、供給リール４１の下流側に設けられ、供給テープ６０から剥離されたスペーサテープ６２を巻き取るスペーサリール４２と、供給リール４１の下流側に設けられ、スペーサテープ６２が剥離されたタブテープ６１をＩＣチップ毎に打ち抜く打抜金型５０と、打抜金型５０の下流側に設けられ、ＩＣチップが打ち抜かれたタブテープ６１を巻き取る回収リール２０とを備えている。また、供給リール４１とスペーサリール４２との間には、供給テープ６０からスペーサテープ６２を剥離する剥離部６５が設けられている。
【００２６】
なお、本実施の形態では、本発明のテープ用リールを上述の回収リール２０に用いた態様で、以下説明する。
【００２７】
図１及び図２に示すように、本発明によるテープ用リール（回収リール）２０は、連結軸５により互いに連結された一対のリール板２０ａ，２０ｂと、各リール板２０ａ，２０ｂに設けられ、一対のリール板２０ａ，２０ｂ間であって、かつ連結軸５を中心とする円周Ｃ（図３参照）に沿って配置された複数のテーパーピン１ａ，１ｂとを備えている。なお、図１は、図６の矢印Ｉから回収リール２０を見た側方図であり、図２は、回収リール２０の概略側方断面図であって、便宜上、図２において、テーパーピン１ａ，１ｂは取り除かれている。
【００２８】
図１に示すように、一方のリール板２０ａに設けられたテーパーピン１ａは各々、他方のリール板２０ｂの方向に向かって延びるとともに、当該方向に向かって先が細くなっている。また、同様に、他方のリール板２０ｂに設けられたテーパーピン１ｂも各々、一方のリール板２０ａ方向に向かって延びるとともに、当該方向に向かって先が細くなっている。また、図１に示すように、各リール板２０ａ，２０ｂに設けられたテーパーピン１ａ，１ｂは各々、当該リール板２０ａ，２０ｂと直交する方向に延びている。
【００２９】
また、図１乃至図３に示すように、一方のリール板２０ａと他方のリール板２０ｂは、互いに当接する当接体２１ａ，２１ｂを有している。また、回収リール２０の各当接体２１ａ，２１ｂには、互いに引き合う磁石３ａ，３ｂが、連結軸５の周りに所定間隔をおいて均等に設けられている。そして、当該一対の磁石３ａ，３ｂの磁力によって、一対の当接体２１ａ，２１ｂが互いに連結されている。なお、図３は、図１のＩＩＩ−ＩＩＩで回収リール２０を割断した際の概略横断面図である。
【００３０】
また、図１及び図２において、連結軸５は、一方のリール板２０ａの当接体２１ａ及び他方のリール板２０ｂの当接体２１ｂの連結穴５ａ，５ｂに挿脱自在に設けられている。
【００３１】
また、図１乃至図３に示すように、一方のリール板２０ａに設けられたテーパーピン１ａと、他方のリール板２０ｂに設けられた他のテーパーピン１ｂは、円周Ｃに沿って交互に、かつ所定間隔をおいて均等に配置されている。
【００３２】
すなわち、一方のリール板２０ａのテーパーピン１ａ間に、他方のリール板２０ｂのテーパーピン１ｂが配置されている。
【００３３】
また、図３に示すように、連結軸５の横断面は四角形となっており、また、一方のリール板２０ａと他方のリール板２０ｂには、連結軸５が挿入される四角形の連結穴５ａ，５ｂが形成されている。このため、一方のリール板２０ａを他方のリール板２０ｂに対して円周Ｃ方向に規制することができる。図１及び図２に示すように、連結軸５には、一対のリール板２０ａ，２０ｂを回転駆動する駆動部１０が連結されている。
【００３４】
なお、図１、図３及び図４に示すように、各々のテーパーピン１ａ，１ｂの周りには、ＩＣチップが打ち抜かれたタブテープ６１が巻き取られている。ここで、図４は、一対のリール板２０ａ，２０ｂに設けられたテーパーピン１ａ，１ｂの周りにタブテープ６１が巻き付いている様子を示す拡大概略側方図である。
【００３５】
次に、このような構成からなる本実施の形態の作用について述べる。
【００３６】
まず、基材に複数のＩＣチップ（図示せず）を設けたタブテープ６１とスペーサテープ６２とを重ねてなる供給テープ６０を供給する供給リール４１を回転させる（図６参照）。
【００３７】
次に、剥離部６５において、供給テープ６０からスペーサテープ６２が剥離される。その後、当該スペーサテープ６２が、スペーサリール４２で巻き取られる（図６参照）。
【００３８】
このとき、剥離部６５でスペーサテープ６２が剥離されたタブテープ６１は、打抜金型５０側へ搬送される。
【００３９】
次に、このタブテープ６１が、打抜金型５０において、タブテープ６１のＩＣチップ毎に打ち抜かれる（図６参照）。
【００４０】
次に、打抜金型５０でＩＣチップが打ち抜かれたタブテープ６１が、回収リール２０の複数のテーパーピン１ａ，１ｂにより巻き取られる（図１、図３、図４及び図６参照）。この場合、回収リール２０の一対のリール板２０ａ，２０ｂは、連結軸５に連結された駆動部１０によって回転駆動されている（図１及び図２参照）。
【００４１】
また、図３に示すように、一対のリール板２０ａ，２０ｂを連結する連結軸５の横断面は四角形となっており、一方のリール板２０ａと他方のリール板２０ｂには、連結軸５が挿入される四角形の連結穴５ａ，５ｂが設けられている。このため、連結軸５により、一方のリール板２０ａと他方のリール板２０ｂとが、回収リール２０の回転方向（円周方向）に規制され、駆動部１０の回転駆動力を一方のリール板２０ａと他方のリール板２０ｂに確実に伝達することができる。
【００４２】
また、図３に示すように、一方のリール板２０ａに設けられたテーパーピン１ａと、他方のリール板２０ｂに設けられた他のテーパーピン１ｂは、円周Ｃに沿って交互に、かつ所定間隔をおいて均等に配置されている。このため、回収リール２０が回転する際、回転リール２０に加わるタブテープ６１からの巻付力を各テーパーピン１ａ，１ｂに均等に分配することができる。この結果、各テーパーピン１ａ，１ｂによって、タブテープ６１を安定した状態で保持することができる。
【００４３】
次に、許容量限界までタブテープ６１を巻き取ったら、回収リール２０からタブテープ６１を取り除く。以下、回収リール２０からタブテープ６１を取り除く方法について、図５（ａ）−（ｅ）を用いて詳細に説明する。なお、図５（ａ）−（ｅ）は、回収リール２０からタブテープ６１を取り除く方法の各工程を示す概略側方断面図である。
【００４４】
まず、回収リール２０に巻き取られたタブテープ６１を、回収リール２０と打抜金型５０との間の所定箇所で切断する（図６参照）。
【００４５】
次に、一対のリール板２０ａ，２０ｂを連結している連結軸５を当接体２１ａ，２１ｂの連結穴５ａ，５ｂから抜き取る（図５（ａ）参照）。ここで、図１及び図２に示すように、連結軸５は、一方のリール板２０ａの当接体２１ａの連結穴５ａ及び他方のリール板２０ｂの当接体２１ｂの連結穴５ｂに挿脱自在に設けられている。このため、当接体２１ａ，２１ｂの連結穴５ａ，５ｂから連結軸５を、容易に抜き取ることができる。
【００４６】
次に、他方のリール板２０ｂを一方のリール板２０ａから取り外す（図５（ｂ）参照）。
【００４７】
ここで、図１乃至図３に示すように、一方のリール板２０ａと他方のリール板２０ｂは互いに、当接体２１ａ，２１ｂに設けられた一対の磁石３ａ，３ｂの磁力によって連結されている。このため、他方のリール板２０ｂを、一方のリール板２０ａに直交する方向（図５（ｂ）の矢印方向）に引っ張って引き離すだけで、一方のリール板２０ａから他方のリール板２０ｂを容易に取り外すことができる。
【００４８】
また、図１及び図４に示すように、他方のリール板２０ｂに設けられたテーパーピン１ｂは各々、一方のリール板２０ａの方向に向かって先が細くなっている。このため、タブテープ６１の重み又は巻付力によって、タブテープ６１とテーパーピン１ｂの間に大きな摩擦力が存在する場合でも、テーパーピン１ｂを一方のリール板２０ａに直交する方向（図５（ｂ）の矢印方向）に滑らせて、タブテープ６１から抜き取ることができる。この結果、テーパーピン１ｂの設けられた他方のリール板２０ｂを、タブテープ６１から容易に取り外すことができる。
【００４９】
次に、テーパーピン１ａに巻き付いているタブテープ６１を、一方のリール板２０ａに直交する方向（図５（ｃ）の矢印方向）に引っ張って、テーパーピン１ａから取り外す（図５（ｃ）参照）。
【００５０】
ここで、図１及び図４に示すように、一方のリール板２０ａに設けられたテーパーピン１ａは各々、他方のリール板２０ｂの方向に向かって先が細くなっている。このため、タブテープ６１の重み又は巻付力によって、タブテープ６１とテーパーピン１ａの間に大きな摩擦力が存在する場合でも、タブテープ６１を一方のリール板２０ａに直交する方向（図５（ｃ）の矢印方向）に滑らせて、テーパーピン１ａから抜き取ることができる。この結果、タブテープ６１を、テーパーピン１ａの設けられた一方のリール板２０ａから容易に取り外すことができる。
【００５１】
次に、一方のリール板２０ａの当接体２１ａに、他方のリール板２０ｂの当接体２１ｂを、磁石３ａ，３ｂ間に働く磁力によって取り付ける（図５（ｄ）参照）。その後、連結軸５を一方のリール板２０ａの当接体２１ａの連結穴５ａ及び他方のリール板２０ｂの当接体２１ｂの連結穴５ｂに挿入する（図５（ｄ）参照）。
【００５２】
最後に、切断したタブテープ６１のうち、回収リール２０に巻き取られていないタブテープ６１の一端を、複数のテーパーピン１ａ，１ｂに巻き付ける（図５（ｅ）参照）。その後は、上述の工程を繰り返し行う。
【００５３】
上述のように、本実施の形態の回収リール２０によると、回収リール２０によって巻き取られて保持されている重い又は巻付力の強いタブテープ６１を、回収リール２０から、容易に取り外すことができる。
【００５４】
なお、上述した実施の形態では、本発明のテープ用リールを回収リール２０に用いて説明したが、これに限ることなく、当該テープ用リールを上述の供給リール４１やスペーサリール４２等に用いることもできる。
【００５５】
このように、本発明のテープ用リールをスペーサリール４２に用いた場合には、スペーサリール４２によって巻き取られて保持されている重い又は巻付力の強いスペーサテープ６２を、スペーサリール４２から、容易に取り外すことができる。
【００５６】
また、本発明のテープ用リールを供給リール４１に用いた場合には、新しくて重い供給テープ６０を、供給リール４１に、容易に取り付けることができる。
【図面の簡単な説明】
【００５７】
【図１】本発明による実施の形態の回収リールを、図６の矢印Ｉから見た側方図。
【図２】テーパーピンを図示していない、本発明によるテープ用リールの実施の形態の概略側方断面図。
【図３】図１のＩＩＩ−ＩＩＩで本発明による実施の形態の回収リールを割断した際の概略横断面図。
【図４】本発明による実施の形態のテーパーピンの周りに、タブテープが巻き付いている様子を示す拡大概略側方図。
【図５】本発明による実施の形態の回収リールからタブテープを取り除く方法の各工程を示す概略側方断面図。
【図６】本発明によるテープ用リールを用いることができる電子部品供給装置の概略図。
【図７】従来の電子部品供給装置の概略図。
【図８】従来の回収リールを図７の矢印ＶＩＩＩから見た概略側方図。
【符号の説明】
【００５８】
１ａ，１ｂ  テーパーピン
３ａ，３ｂ    磁石
５    連結軸
５ａ，５ｂ  連結穴
１０  駆動部
２０  回収リール
２０ａ  一方のリール板
２０ｂ  他方のリール板
２１ａ，２１ｂ  当接体
６１  タブテープ
Ｃ    円周
【図１】
0004509060.tif 000002
【図２】
0004509060.tif 000003
【図３】
0004509060.tif 000004
【図４】
0004509060.tif 000005
【図５】
0004509060.tif 000006
【図６】
0004509060.tif 000007
【図７】
0004509060.tif 000008
【図８】
0004509060.tif 000009